(57)【要約】【課題】所定の方向に照射される光の強度を高めることができる照明装置および移動体用照明装置を提供することである。【解決手段】実施形態に係る照明装置は、発光素子を有する発光部と；前記発光部の光の照射側に設けられたライトガイドと；前記ライトガイドの前記発光部側とは反対側の端部に設けられ、前記ライトガイドが露出する貫通孔と、前記発光部側が前記ライトガイドの中心軸側に近接する方向に傾斜した第１の反射面と、を有する反射部と；を具備している。【選択図】図２
2015041448.tif 000002
【特許請求の範囲】
【請求項１】
発光素子を有する発光部と；
前記発光部の光の照射側に設けられたライトガイドと；
前記ライトガイドの前記発光部側とは反対側の端部に設けられ、前記ライトガイドが露出する貫通孔と、前記発光部側が前記ライトガイドの中心軸側に近接する方向に傾斜した第１の反射面と、を有する反射部と；
を具備した照明装置。
【請求項２】
前記ライトガイドは、前記貫通孔から突出する照射部をさらに有する請求項１記載の照明装置。
【請求項３】
前記反射部は、前記第１の反射面とは反対側に、前記発光部側が前記ライトガイドの中心軸側に近接する方向に傾斜した第２の反射面をさらに有する請求項１または２に記載の照明装置。
【請求項４】
請求項１〜３のいずれか１つに記載の照明装置と；
前記照明装置を保持するリフレクタと；
を具備した移動体用照明装置。
【請求項５】
前記照明装置に設けられた反射部は、前記リフレクタの焦点位置に保持されている請求項４記載の移動体用照明装置。
【発明の詳細な説明】
【技術分野】
【０００１】
本発明の実施形態は、照明装置および移動体用照明装置に関する。
【背景技術】
【０００２】
発光ダイオード（Light Emitting Diode：ＬＥＤ）などの発光素子と、発光素子から照射された光を導くライトガイドと、ライトガイドの先端に設けられた分散部と、を有する照明装置がある。  
この様な照明装置によれば、例えば、白熱電球と同様の配光特性を得ることができる。  しかしながら、照明装置の用途などによっては、所定の方向に照射される光の強度を高めた方が好ましい場合もある。  
また、分散部を介して光を照射すると損失が大きくなるおそれもある。
【先行技術文献】
【特許文献】
【０００３】
【特許文献１】特開２０１１−２４９３４８号公報
【発明の概要】
【発明が解決しようとする課題】
【０００４】
本発明が解決しようとする課題は、所定の方向に照射される光の強度を高めることができる照明装置および移動体用照明装置を提供することである。
【課題を解決するための手段】
【０００５】
実施形態に係る照明装置は、発光素子を有する発光部と；前記発光部の光の照射側に設けられたライトガイドと；前記ライトガイドの前記発光部側とは反対側の端部に設けられ、前記ライトガイドが露出する貫通孔と、前記発光部側が前記ライトガイドの中心軸側に近接する方向に傾斜した第１の反射面と、を有する反射部と；を具備している。
【発明の効果】
【０００６】
本発明の実施形態によれば、所定の方向に照射される光の強度を高めることができる照明装置および移動体用照明装置を提供することができる。
【図面の簡単な説明】
【０００７】
【図１】本実施の形態に係る照明装置１を例示するための模式斜視図である。
【図２】本実施の形態に係る移動体用照明装置１００を例示するための模式断面図である。
【図３】ライトガイド４と反射部５を例示するための模式斜視図である。
【図４】ライトガイド４と反射部５の作用を例示するための模式断面図である。
【図５】照射部４ｂと反射部５の他の実施形態を例示するための模式部分断面図である。
【図６】照射部４ｂを有するライトガイド４と、反射部５の作用を例示するためのグラフ図である。
【図７】他の実施形態に係る反射部１５の作用を例示するための模式断面図である。
【図８】反射部１５の他の実施形態を例示するための模式部分断面図である。
【図９】照射部４ｂを有するライトガイド４と、反射部１５の作用を例示するためのグラフ図である。
【図１０】（ａ）、（ｂ）は、正面側から見たリフレクタ１０１の形状が円形の場合を例示するための模式図である。（ａ）は、移動体用照明装置１００を正面側から見た模式図である。（ｂ）は、光Ｌ３の光量の分布を例示するための模式図である。
【図１１】（ａ）、（ｂ）は、正面側から見たリフレクタ１０１の形状が楕円形の場合を例示するための模式図である。（ａ）は、移動体用照明装置１００を正面側から見た模式図である。（ｂ）は、光Ｌ３の光量の分布を例示するための模式図である。
【図１２】（ａ）、（ｂ）は、正面側から見たリフレクタ１０１の形状が長方形の場合を例示するための模式図である。（ａ）は、移動体用照明装置１００を正面側から見た模式図である。（ｂ）は、光Ｌ３の光量の分布を例示するための模式図である。
【図１３】（ａ）、（ｂ）は、正面側から見たリフレクタ１０１の形状が三角形の場合を例示するための模式図である。（ａ）は、移動体用照明装置１００を正面側から見た模式図である。（ｂ）は、光Ｌ３の光量の分布を例示するための模式図である。
【図１４】（ａ）、（ｂ）は、正面側から見たリフレクタ１０１の形状が楕円形の場合を例示するための模式図である。（ａ）は、移動体用照明装置１００を正面側から見た模式図である。（ｂ）は、光Ｌ３の光量の分布を例示するための模式図である。
【図１５】（ａ）、（ｂ）は、正面側から見たリフレクタ１０１の形状が長方形の場合を例示するための模式図である。（ａ）は、移動体用照明装置１００を正面側から見た模式図である。（ｂ）は、光Ｌ３の光量の分布を例示するための模式図である。
【図１６】（ａ）、（ｂ）は、正面側から見たリフレクタ１０１の形状が三角形の場合を例示するための模式図である。（ａ）は、移動体用照明装置１００を正面側から見た模式図である。（ｂ）は、光Ｌ３の光量の分布を例示するための模式図である。
【発明を実施するための形態】
【０００８】
実施形態に係る照明装置は、発光素子を有する発光部と；前記発光部の光の照射側に設けられたライトガイドと；前記ライトガイドの前記発光部側とは反対側の端部に設けられ、前記ライトガイドが露出する貫通孔と、前記発光部側が前記ライトガイドの中心軸側に近接する方向に傾斜した第１の反射面と、を有する反射部と；を具備している。  
この照明装置によれば、所定の方向に照射される光の強度を高めることができる。
【０００９】
また、ライトガイドは、前記貫通孔から突出する照射部をさらに有することができる。  貫通孔から突出した照射部を有するものとすれば、照射部の形状や寸法などを変えることで、照明装置の正面側に向けて照射される光の配光を制御することが容易となる。
【００１０】
また、反射部は、前記第１の反射面とは反対側に、前記発光部側が前記ライトガイドの中心軸側に近接する方向に傾斜した第２の反射面をさらに有することができる。  
第２の反射面が設けられていれば、照明装置の正面側に向けて照射された光を集光させることができる。
【００１１】
実施形態に係る移動体用照明装置は、上記のいずれかの照明装置と；前記照明装置を保持するリフレクタと；を具備している。  
この移動体用照明装置によれば、複数の照射位置に光を集光させることができる。
【００１２】
また、前記照明装置に設けられた反射部は、前記リフレクタの焦点位置に保持されているようにすることができる。  
この様にすれば、反射部で反射させた光を所定の照射位置に集光させることができる。
【００１３】
以下、図面を参照しつつ、実施の形態について例示をする。なお、各図面中、同様の構成要素には同一の符号を付して詳細な説明は適宜省略する。  
図１は、本実施の形態に係る照明装置１を例示するための模式斜視図である。  
図２は、本実施の形態に係る移動体用照明装置１００を例示するための模式断面図である。  
なお、図２は、照明装置１を備えた移動体用照明装置１００を例示するための模式断面図である。  
図３は、ライトガイド４と反射部５を例示するための模式斜視図である。
【００１４】
まず、本実施の形態に係る照明装置１について例示する。  
図１および図２に示すように、照明装置１には、発光部２、放熱部３、ライトガイド４、反射部５、および筐体６が設けられている。  
発光部２は、発光素子２１、基板２２、容器２３、および封止部２４を有する。
【００１５】
発光素子２１は、例えば、発光ダイオードやレーザダイオードなどとすることができる。  発光素子２１の数には特に限定はない。発光素子２１の数は、照明装置１の用途やライトガイド４の入射面４ａの面積などに応じて適宜変更することができる。すなわち、発光素子２１の数は、１個以上であればよい。  
発光素子２１が複数設けられる場合には、複数の発光素子２１の配置は、マトリクス状や同心円状などの規則的な配置としてもよいし、任意の配置としてもよい。
【００１６】
発光素子２１の光の照射面（上面）は、ライトガイド４の入射面４ａと対峙している。そのため、発光素子２１から照射された光は、ライトガイド４の内部に効率よく導入される。
【００１７】
基板２２は、板状を呈し、表面に図示しない配線パターンが設けられている。  
基板２２は、例えば、酸化アルミニウムや窒化アルミニウムなどのセラミックス、紙フェノールやガラスエポキシなどの有機材料、金属板の表面を絶縁材料で被覆したものなどから形成することができる。  
なお、金属板の表面を絶縁材料で被覆する場合には、絶縁材料は、有機材料からなるものであってもよいし、無機材料からなるものであってもよい。
【００１８】
発光素子２１などの発熱量が多い場合には、放熱の観点から熱伝導率の高い材料を用いて基板２２を形成することが好ましい。熱伝導率の高い材料としては、例えば、酸化アルミニウムや窒化アルミニウムなどのセラミックス、高熱伝導性樹脂、金属板の表面を絶縁体で被覆したものなどを例示することができる。  
なお、高熱伝導性樹脂は、例えば、ＰＥＴ（Polyethyleneterephthalate）やナイロンなどの樹脂に、熱伝導率の高い炭素や酸化アルミニウムなどからなる繊維や粒子を混合させたものである。  
また、基板２２は、単層であってもよいし、多層であってもよい。
【００１９】
発光素子２１と、基板２２の表面に設けられた図示しない配線パターンとの接続方法には特に限定はない。発光素子２１は、例えば、図２に例示をしたようにワイヤ２５を介して図示しない配線パターンと電気的に接続することができる。また、発光素子２１は、例えば、図示しない配線パターンに直接接続されるＣＯＢ（Chip On Board）により実装されていてもよい。
【００２０】
また、基板２２には、必要に応じて、抵抗器、コンデンサ、ダイオードなどの回路部品を適宜設けることができる。  
基板２２の図示しない配線パターンには、図示しない給電端子の一端が接続されている。図示しない給電端子の他端は、放熱部３の取付部３２から露出している。放熱部３の取付部３２から露出した図示しない給電端子には、図示しないソケットなどを介して外部の電源などが接続される。
【００２１】
容器２３は、発光素子２１を取り囲むようにして、基板２２上に設けられている。容器２３は、例えば、環状を呈し、中央部に発光素子２１が露出するようになっている。  
容器２３の外縁の平面形状には、特に限定はない。容器２３の外縁の平面形状は、例えば、円形、楕円形、三角形、四角形などとすることができる。この場合、容器２３の外縁の平面形状は、ライトガイド４の断面の平面形状と同じとすることができる。また、容器２３の外縁の平面寸法は、ライトガイド４の断面寸法と同じとすることができる。
【００２２】
容器２３は、例えば、ＰＢＴ（polybutylene terephthalate）やＰＣ（polycarbonate）などの樹脂や、セラミックスなどから形成することができる。  
また、容器２３の材料を樹脂とする場合には、酸化チタンなどの粒子を混合して、発光素子２１から出射した光に対する反射率を向上させることができる。  
なお、酸化チタンの粒子に限定されるわけではなく、発光素子２１から出射した光に対する反射率が高い材料からなる粒子を混合すればよい。
【００２３】
容器２３の中央部側の側壁面２３ａは斜面となっている。発光素子２１から出射した光の一部は、側壁面２３ａで反射されて、照明装置１の正面側に向けて出射される。すなわち、容器２３は、リフレクタの機能を併せ持つものとすることができる。
【００２４】
封止部２４は、容器２３の内側を覆うように設けられている。  
封止部２４は、透光性を有する材料から形成されている。封止部２４は、例えば、シリコーン樹脂などから形成することができる。  
封止部２４は、例えば、容器２３の中央部に樹脂を充填することで形成することができる。樹脂の充填は、例えば、ディスペンサなどの液体定量吐出装置を用いて行うことができる。
【００２５】
また、封止部２４には、蛍光体を含めることができる。蛍光体は、例えば、ＹＡＧ系蛍光体（イットリウム・アルミニウム・ガーネット系蛍光体）とすることができる。  
例えば、発光素子２１が青色発光ダイオード、蛍光体がＹＡＧ系蛍光体である場合には、発光素子２１から出射した青色の光によりＹＡＧ系蛍光体が励起され、ＹＡＧ系蛍光体から黄色の蛍光が放射される。そして、青色の光と黄色の光が混ざり合うことで、白色の光が封止部２４から出射する。なお、蛍光体の種類や発光素子２１の種類は例示をしたものに限定されるわけではなく、照明装置１の用途などに応じて所望の発光色が得られるように適宜変更することができる。
【００２６】
放熱部３は、本体部３１、取付部３２、およびフィン３３を有する。  
放熱部３は、発熱源である発光部２を保持する。また、放熱部３は、発光部２において発生した熱を放熱する。
【００２７】
本体部３１は、円板状を呈し、一方の主面には取付部３２が設けられている。本体部３１の他方の主面には、複数のフィン３３が設けられている。  
本体部３１は、筐体６の内部に保持されている。例えば、本体部３１は、接着剤などを用いて、筐体６の内部に接合されている。
【００２８】
取付部３２の本体部３１が設けられる側とは反対側の面には、基板２２が設けられている。  
フィン３３は、板状を呈し、本体部３１の主面から突出している。フィン３３は、複数設けられ、放熱フィンとして機能する。  
なお、本体部３１、取付部３２、およびフィン３３は、一体的に成形されたものであってもよい。
【００２９】
本体部３１、取付部３２、およびフィン３３の材料には特に限定はないが、熱伝導率の高い材料から形成することが好ましい。  
本体部３１、取付部３２、およびフィン３３は、例えば、アルミニウムやアルミニウム合金などの金属材料、前述した高熱伝導性樹脂などから形成することができる。
【００３０】
図３に示すように、ライトガイド４は、入射面４ａ、照射部４ｂ、および凹部４ｃを有する。  
ライトガイド４は、発光部２から照射された光を伝播し、所定の方向に向けて光を照射する。  
ライトガイド４は、柱状を呈し、発光部２の光の照射側に設けられている。  
入射面４ａは、ライトガイド４の発光部２側の端面である。入射面４ａには、発光部２からの光が入射する。入射面４ａと発光部２との間には、僅かな隙間を設けることができる。
【００３１】
ライトガイド４の入射面４ａとは反対側の端部には照射部４ｂが設けられている。照射部４ｂは、ライトガイド４の内部を伝播してきた光の一部を、照明装置１の正面側に向けて照射する。  
照射部４ｂは、反射部５を貫通する貫通孔５ｂから突出している。貫通孔５ｂから突出する照射部４ｂを設けるものとすれば、照射部４ｂの形状や寸法などを変えることで、照明装置１の正面側に向けて照射される光の配光を制御することが容易となる。
【００３２】
照射部４ｂの貫通孔５ｂから突出している部分の形状は、照明装置１の用途などに応じて適宜変更することができる。照射部４ｂの貫通孔５ｂから突出している部分の形状は、例えば、半球状、半楕円球状、円柱状、角柱状、円錐状、角錐状、円錐台状、角錐台状などとすることができる。
【００３３】
ライトガイド４の入射面４ａとは反対側の端部には、凹部４ｃが設けられている。凹部４ｃの側面は傾斜面となっている。凹部４ｃの側面は、リフレクタ１０１と向き合っている。凹部４ｃは、例えば、円錐台形状を有している。凹部４ｃの内部には、反射部５が設けられている。  
ライトガイド４は、透光性を有する材料から形成されている。ライトガイド４は、例えば、アクリル樹脂、ポリカーボネート樹脂、ガラスなどから形成することができる。
【００３４】
ライトガイド４の入射面４ａ側の端部近傍には、鍔部４１が設けられている。鍔部４１は、板状を呈し、ライトガイド４の外周面から突出している。  
鍔部４１には、切欠部４１ａと溝部４１ｂが設けられている。  
切欠部４１ａは、鍔部４１の外縁近傍を直線状に切り落とすことで形成されている。  
溝部４１ｂは、鍔部４１の厚み方向を貫通する溝である。
【００３５】
切欠部４１ａと溝部４１ｂは、ライトガイド４の軸周りの取付方向を規定する。  
筐体６の孔部６３には、切欠部４１ａと係合する図示しない凸部と、溝部４１ｂと係合する図示しない凸部が設けられている。  
そのため、ライトガイド４を孔部６３に挿入し、固定する際には、ライトガイド４の軸周りの向き（回転方向の向き）が予め定められた向きとなる。
【００３６】
ここで、後述するように、反射部５の反射特性がリフレクタ１０１の反射特性と同様となるようにしている。そのため、リフレクタ１０１に対するライトガイド４の軸周りの取付方向が規定されることになる。
【００３７】
そこで、切欠部４１ａと溝部４１ｂにより、ライトガイド４の軸周りの取付方向を規定するようにしている。  
例えば、正面側から見たリフレクタ１０１の形状が楕円形である場合には、正面側から見た反射部５の形状も楕円形となっている。そして、ライトガイド４を取り付けた際には、例えば、リフレクタ１０１の長軸方向と、反射部５の長軸方向とが重なるようになっている。  
なお、ライトガイド４と鍔部４１は、一体的に成形されたものであってもよい。
【００３８】
反射部５は、ライトガイド４の内部を伝播してきた光の一部を、リフレクタ１０１に向けて反射させる。  
反射部５は、反射面５ａ（第１の反射面の一例に相当する）、貫通孔５ｂ、および反射面５ｃ（第２の反射面の一例に相当する）を有する。  
反射部５は、凹部４ｃの内部に設けられている。反射部５は、外観が円錐台状を呈している。  
反射面５ａは、凹部４ｃの側面上に設けられている。反射面５ａは、リフレクタ１０１と向き合っている。反射面５ａは、発光部２側がライトガイド４の中心軸側に近接する方向に傾斜している。
【００３９】
貫通孔５ｂは、反射部５を貫通している。貫通孔５ｂにはライトガイド４が露出している。  
反射面５ｃは、反射面５ａとは反対側に設けられている。反射面５ｃは、発光部２側がライトガイド４の中心軸側に近接する方向に傾斜している。  
反射面５ｃを設けるものとすれば、照明装置１の正面側に向けて照射された光Ｌ２を集光させることができる（図４を参照）。
【００４０】
反射部５は、発光部２から照射された光に対する反射率の高い材料から形成されている。反射部５は、例えば、白色の樹脂やセラミックス、酸化チタンなどの粒子が混合された樹脂などから形成することができる。  
反射部５は、凹部４ｃの内部に蒸着法を用いて形成したり、樹脂材料を塗布および硬化させることで形成したりすることができる。また、反射部５は、予め成形された反射部５を凹部４ｃの内部に接合したり、二色成形法（ダブルモールド法）を用いてライトガイド４と一体成形したりして形成することができる。
【００４１】
筐体６は、収納部６１と保持部６２を有する。  
収納部６１は、円筒状を呈し、一方の端部がフランジ部６１ａにより塞がれている。  
収納部６１のフランジ部６１ａが設けられる側とは反対側の端部は開口している。収納部６１の開口は、放熱部３の取付部３２が接続されることで塞がれている。収納部６１の内部には、発光部２が収納されている。
【００４２】
保持部６２は、円筒状を呈し、フランジ部６１ａから突出している。  
ライトガイド４を挿入するための孔部６３は、保持部６２とフランジ部６１ａとを貫通している。  
保持部６２の外壁面には、複数の凸部６４が突出している。照明装置１をリフレクタ１０１に取り付ける際には、複数の凸部６４をリフレクタ１０１の受け部１０３に設けられた凹部１０３ａの内部にはめ込む。
【００４３】
筐体６は、発光部２を収納する機能と、放熱部３とライトガイド４を保持する機能と、発光部２において発生した熱を照明装置１の外部に放出する機能とを有する。  
そのため、熱を外部に放出することを考慮して、筐体６を熱伝導率の高い材料から形成することができる。例えば、筐体６は、アルミニウム、アルミニウム合金、前述した高熱伝導性樹脂などから形成することができる。
【００４４】
次に、ライトガイド４と反射部５についてさらに説明する。  
図４は、ライトガイド４と反射部５の作用を例示するための模式断面図である。  
なお、図４においては、煩雑となるのを避けるために、ライトガイド４の内部を伝播する光の一部のみを描いている。例えば、ライトガイド４の内部を全反射しながら伝播する光などは省略している。
【００４５】
図４に示すように、発光部２の発光素子２１から照射された光は、ライトガイド４の入射面４ａからライトガイド４の内部に入射する。ライトガイド４の内部に入射した光は、ライトガイド４の内部を伝播して、ライトガイド４の凹部４ｃ側の端部に到達する。
【００４６】
この際、照射部４ｂに入射した光は、照明装置１の正面側に向けて照射される。  
例えば、ライトガイド４の軸方向から照射部４ｂに入射した光Ｌ１は、そのままライトガイド４の軸方向に照射される。また、ライトガイド４の軸方向と交差する方向から照射部４ｂに入射した光Ｌ２は、反射部５の反射面５ｃに入射し、反射面５ｃで反射されて照明装置１の正面側に向けて照射される。
【００４７】
また、反射部５の反射面５ａに入射した光Ｌ３は、反射面５ａで反射されて照明装置１の背面側に向けて照射される。例えば、反射面５ａで反射された光Ｌ３は、リフレクタ１０１に向けて照射される。リフレクタ１０１に入射した光Ｌ３は、リフレクタ１０１で反射されて照明装置１の正面側に向けて照射される。  
この際、リフレクタ１０１の作用により、光Ｌ３が集光する照射位置は、光Ｌ１と光Ｌ２が集光する照射位置とは異なるものとなる。
【００４８】
図５は、照射部４ｂと反射部５の他の実施形態を例示するための模式部分断面図である。  図５に示すように、照射部４ｂの貫通孔５ｂから突出している部分の周囲に平坦面４ｂ１をさらに設けることができる。  
また、反射部５の外周側に平坦面５ｄをさらに設けることができる。  
また、反射部５の内周側に凸部５ｅをさらに設けることができる。  
平坦面４ｂ１、平坦面５ｄ、および凸部５ｅの少なくともいずれかを設けるようにすれば、ライトガイド４と反射部５を二色成形法（ダブルモールド法）を用いて一体成形するのが容易となる。
【００４９】
図６は、照射部４ｂを有するライトガイド４と、反射部５の作用を例示するためのグラフ図である。  
図６は、図５に例示をした照射部４ｂを有するライトガイド４と、反射部５による配光特性を例示するものである。  
なお、図６は実測データである。  
図６から分かるように、本実施の形態に係る照明装置１とすれば、所定の方向に照射される光の強度を高めることができる。
【００５０】
図７は、他の実施形態に係る反射部１５の作用を例示するための模式断面図である。  
なお、図７においては、煩雑となるのを避けるために、ライトガイド４の内部を伝播する光の一部のみを描いている。例えば、ライトガイド４の内部を全反射しながら伝播する光などは省略している。
【００５１】
図７に示すように、反射部１５は凹部４ｃの内部を埋め込むように設けられている。  
反射部１５は、リフレクタ１０１と向き合う反射面１５ａを有する。反射面１５ａは、凹部４ｃの側面上に設けられている。  
反射部１５は、貫通孔１５ｂを有している。貫通孔１５ｂの内部には、照射部４ｂが設けられている。  
照射部４ｂは、貫通孔１５ｂから突出している。この場合、照射部４ｂは、反射部１５の上面１５ｃから突出している。  
反射部１５の材料は、反射部５の材料と同じとすることができる。
【００５２】
図７に示すように、発光部２の発光素子２１から照射された光は、ライトガイド４の入射面４ａからライトガイド４の内部に入射する。ライトガイド４の内部に入射した光は、ライトガイド４の内部を伝播して、ライトガイド４の凹部４ｃ側の端部に到達する。
【００５３】
この際、照射部４ｂに入射した光は、照明装置１の正面側に向けて照射される。  
例えば、ライトガイド４の軸方向から照射部４ｂに入射した光Ｌ１は、そのままライトガイド４の軸方向に照射される。また、ライトガイド４の軸方向と交差する方向から照射部４ｂに入射した光Ｌ２は、ライトガイド４の軸方向と交差する方向に照射される。ライトガイド４の軸方向と交差する方向に照射された光Ｌ２は、リフレクタ１０１で反射されて照明装置１の正面側に向けて照射される。
【００５４】
また、反射部１５の反射面１５ａに入射した光Ｌ３は、反射面１５ａで反射されて照明装置１の背面側に向けて照射される。すなわち、反射面１５ａで反射された光Ｌ３は、リフレクタ１０１に向けて照射される。リフレクタ１０１に入射した光Ｌ３は、リフレクタ１０１で反射されて照明装置１の正面側に向けて照射される。  
この際、リフレクタ１０１の作用により、光Ｌ３が集光する照射位置は、光Ｌ１と光Ｌ２が集光する照射位置とは異なるものとなる。
【００５５】
図８は、反射部１５の他の実施形態を例示するための模式部分断面図である。  
図８に示すように、反射部１５の外周側に平坦面１５ｄを設け、平坦面１５ｄに凹部１５ｅを設けることができる。  
また、反射部１５の内周側に曲面１５ｆを設けることができる。  
平坦面１５ｄ、凹部１５ｅ、および曲面１５ｆの少なくともいずれかを設けるようにすれば、ライトガイド４と反射部１５を二色成形法（ダブルモールド法）を用いて一体成形するのが容易となる。
【００５６】
図９は、照射部４ｂを有するライトガイド４と、反射部１５の作用を例示するためのグラフ図である。  
図９は、図８に例示をした照射部４ｂを有するライトガイド４と、反射部１５による配光特性を例示するものである。  
なお、図９はシミュレーションを行い求めたデータである。  
図９から分かるように、本実施の形態に係る照明装置１とすれば、所定の方向に照射される光の強度を高めることができる。
【００５７】
次に、本実施の形態に係る移動体用照明装置１００について例示する。  
移動体用照明装置１００が設けられる移動体は、例えば、自動車、鉄道車両、船舶、航空機などである。  
例えば、移動体用照明装置１００は、自動車のエクステリア、あるいはインテリアにおいて用いられるものとすることができる。例えば、移動体用照明装置１００は、フロントコンビネーションライト、リアコンビネーションライトなどを構成するストップランプ、テールランプ、ターンシグナルランプ、フォグランプなどとすることができる。
【００５８】
図２に示すように、移動体用照明装置１００には、本実施の形態に係る照明装置１、リフレクタ１０１、レンズ１０２、および、受け部１０３が設けられている。  
リフレクタ１０１は、受け部１０３を介して照明装置１を保持する。  
リフレクタ１０１は、凹状を呈している。  
リフレクタ１０１は、例えば、樹脂材料を用いて形成することができる。また、リフレクタ１０１の内周面にアルミニウムなどからなる反射層を設けることもできる。
【００５９】
レンズ１０２は、リフレクタ１０１の正面側の開口を塞ぐように設けられている。レンズ１０２は、ガラスなどの透光性を有する材料から形成されたクリアレンズとすることができる。  
受け部１０３は、リフレクタ１０１の背面側に設けられている。受け部１０３には、筐体６の凸部６４をはめ込むための凹部１０３ａが設けられている。受け部１０３には、保持部６２を挿入するための孔部１０４が設けられている。  
また、受け部１０３と、収納部６１のフランジ部６１ａとの間には、ゴムやシリコーン樹脂などの材料からなる図示しないシール部材を設けることもできる。
【００６０】
照明装置１をリフレクタ１０１に保持させた際には、ライトガイド４の端部に設けられた照射部４ｂと反射部５がリフレクタ１０１の内部に保持される。
【００６１】
前述したように、照明装置１によれば、所定の方向に照射される光の強度を高めることができる。  
そのため、本実施の形態に係る移動体用照明装置１００によれば、複数の照射位置に光を集光させることができる。
【００６２】
例えば、反射部５がリフレクタ１０１の焦点位置に保持されていると、反射部５で反射させた光Ｌ３を所定の照射位置に集光させることができる。  
そして、例えば、光Ｌ１および光Ｌ２により車両の法規に基づく配光及び発光強度を得るようにし、光Ｌ３により演出性の向上を図ることができる。
【００６３】
ここで、移動体用照明装置１００の用途などに応じて、正面側から見たリフレクタ１０１の形状には種々のものがある。この場合、反射部５からの光Ｌ３の光量が全方向において一定とすると、照射位置において照射ムラが生じる場合がある。  
そのため、反射部５の反射特性がリフレクタ１０１の反射特性と同様となるようにしている。
【００６４】
図１０（ａ）、（ｂ）は、正面側から見たリフレクタ１０１の形状が円形の場合を例示するための模式図である。  
図１０（ａ）は、移動体用照明装置１００を正面側から見た模式図である。  
図１０（ｂ）は、光Ｌ３の光量の分布を例示するための模式図である。  
なお、正面側から見たライトガイド４の断面形状が円形（円柱状のライトガイド４）の場合である。  
図１０（ａ）に示すように、正面側から見たリフレクタ１０１の形状が円形の場合には、リフレクタ１０１の内周面の角度の変化が円周方向において一定となる。  
すなわち、リフレクタ１０１の反射特性は、円周方向において一定となる。
【００６５】
そのため、図１０（ｂ）に示すように、正面側から見た反射部５の外形形状を円形として、反射部５の反射特性が円周方向において一定となるようにしている。  
すなわち、リフレクタ１０１の反射特性と同様の反射特性を有する反射部５とすることで、照射位置における光Ｌ３の光量が均等となるようにしている。  
この様にすれば、照射ムラを抑制することができる。
【００６６】
図１１（ａ）、（ｂ）は、正面側から見たリフレクタ１０１の形状が楕円形の場合を例示するための模式図である。  
図１１（ａ）は、移動体用照明装置１００を正面側から見た模式図である。  
図１１（ｂ）は、光Ｌ３の光量の分布を例示するための模式図である。  
なお、正面側から見たライトガイド４の断面形状が円形（円柱状のライトガイド４）の場合である。  
図１１（ａ）に示すように、正面側から見たリフレクタ１０１の形状が楕円形の場合には、長軸方向における内周面の角度の変化が、短軸方向における内周面の角度の変化よりも小さくなる。内周面の角度の変化が小さくなれば、反射した光Ｌ３は同じような方向に向かうことになる。そのため、照射位置において、長軸方向における内周面で反射した光Ｌ３の光量が多くなり照射ムラが生じるおそれがある。  
そのため、図１１（ｂ）に示すように、正面側から見た反射部５の外形形状を楕円形として、長軸方向における内周面に照射される光Ｌ３の光量が少なくなるようにしている。  すなわち、リフレクタ１０１の反射特性と同様の反射特性を有する反射部５とすることで、照射位置における光Ｌ３の光量が均等となるようにしている。  
この様にすれば、照射ムラを抑制することができる。
【００６７】
図１２（ａ）、（ｂ）は、正面側から見たリフレクタ１０１の形状が長方形の場合を例示するための模式図である。  
図１２（ａ）は、移動体用照明装置１００を正面側から見た模式図である。  
図１２（ｂ）は、光Ｌ３の光量の分布を例示するための模式図である。  
なお、正面側から見たライトガイド４の断面形状が円形（円柱状のライトガイド４）の場合である。
【００６８】
図１２（ａ）に示すように、正面側から見たリフレクタ１０１の形状が長方形の場合には、短辺側における内周面の角度の変化が、長辺側における内周面の角度の変化よりも小さくなる。内周面の角度の変化が小さくなれば、反射した光Ｌ３は同じような方向に向かうことになる。そのため、照射位置において、短辺側における内周面で反射した光Ｌ３の光量が多くなり照射ムラが生じるおそれがある。  
そのため、図１２（ｂ）に示すように、正面側から見た反射部５の外形形状を長方形として、短辺側における内周面に照射される光Ｌ３の光量が少なくなるようにしている。  
すなわち、リフレクタ１０１の反射特性と同様の反射特性を有する反射部５とすることで、照射位置における光Ｌ３の光量が均等となるようにしている。  
この様にすれば、照射ムラを抑制することができる。
【００６９】
図１３（ａ）、（ｂ）は、正面側から見たリフレクタ１０１の形状が三角形の場合を例示するための模式図である。  
図１３（ａ）は、移動体用照明装置１００を正面側から見た模式図である。  
図１３（ｂ）は、光Ｌ３の光量の分布を例示するための模式図である。  
なお、正面側から見たライトガイド４の断面形状が円形（円柱状のライトガイド４）の場合である。
【００７０】
図１３（ａ）に示すように、正面側から見たリフレクタ１０１の形状が三角形の場合には、辺側における内周面の角度の変化が、角部側における内周面の角度の変化よりも小さくなる。内周面の角度の変化が小さくなれば、反射した光Ｌ３は同じような方向に向かうことになる。そのため、照射位置において、角部側における内周面で反射した光Ｌ３の光量が多くなり照射ムラが生じるおそれがある。  
そのため、図１３（ｂ）に示すように、正面側から見た反射部５の外形形状を三角形として、角部側における内周面に照射される光Ｌ３の光量が少なくなるようにしている。  
すなわち、リフレクタ１０１の反射特性と同様の反射特性を有する反射部５とすることで、照射位置における光Ｌ３の光量が均等となるようにしている。  
この様にすれば、照射ムラを抑制することができる。
【００７１】
図１４（ａ）、（ｂ）は、正面側から見たリフレクタ１０１の形状が楕円形の場合を例示するための模式図である。  
図１４（ａ）は、移動体用照明装置１００を正面側から見た模式図である。  
図１４（ｂ）は、光Ｌ３の光量の分布を例示するための模式図である。  
なお、正面側から見たライトガイド４の断面形状が楕円形（楕円柱状のライトガイド４）の場合である。  
図１１（ａ）、（ｂ）において例示をしたものと同様に、本実施の形態においても、リフレクタ１０１の反射特性と同様の反射特性を有する反射部５としている。  
さらに、本実施の形態においては、正面側から見たライトガイド４の断面形状が楕円形となっている。  
そのため、反射部５の面積を大きくすることができるので、光Ｌ３の光量を増加させることができる。
【００７２】
図１５（ａ）、（ｂ）は、正面側から見たリフレクタ１０１の形状が長方形の場合を例示するための模式図である。  
図１５（ａ）は、移動体用照明装置１００を正面側から見た模式図である。  
図１５（ｂ）は、光Ｌ３の光量の分布を例示するための模式図である。  
なお、正面側から見たライトガイド４の断面形状が長方形（四角柱状のライトガイド４）の場合である。  
図１２（ａ）、（ｂ）において例示をしたものと同様に、本実施の形態においても、リフレクタ１０１の反射特性と同様の反射特性を有する反射部５としている。  
さらに、本実施の形態においては、正面側から見たライトガイド４の断面形状が長方形となっている。  
そのため、反射部５の面積を大きくすることができるので、光Ｌ３の光量を増加させることができる。
【００７３】
図１６（ａ）、（ｂ）は、正面側から見たリフレクタ１０１の形状が三角形の場合を例示するための模式図である。  
図１６（ａ）は、移動体用照明装置１００を正面側から見た模式図である。  
図１６（ｂ）は、光Ｌ３の光量の分布を例示するための模式図である。  
なお、正面側から見たライトガイド４の断面形状が三角形（三角柱状のライトガイド４）の場合である。  
図１３（ａ）、（ｂ）において例示をしたものと同様に、本実施の形態においても、リフレクタ１０１の反射特性と同様の反射特性を有する反射部５としている。  
さらに、本実施の形態においては、正面側から見たライトガイド４の断面形状が三角形となっている。  
そのため、反射部５の面積を大きくすることができるので、光Ｌ３の光量を増加させることができる。
【００７４】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００７５】
１  照明装置、２  発光部、３  放熱部、４  ライトガイド、４ａ  入射面、４ｂ  照射部、４ｃ  凹部、５  反射部、５ａ  反射面、５ｂ  貫通孔、５ｃ  反射面、６  筐体、２１  発光素子、１００  移動体用照明装置、１０１  リフレクタ
【図１】
2015041448.tif 000003
【図２】
2015041448.tif 000004
【図３】
2015041448.tif 000005
【図４】
2015041448.tif 000006
【図５】
2015041448.tif 000007
【図６】
2015041448.tif 000008
【図７】
2015041448.tif 000009
【図８】
2015041448.tif 000010
【図９】
2015041448.tif 000011
【図１０】
2015041448.tif 000012
【図１１】
2015041448.tif 000013
【図１２】
2015041448.tif 000014
【図１３】
2015041448.tif 000015
【図１４】
2015041448.tif 000016
【図１５】
2015041448.tif 000017
【図１６】
2015041448.tif 000018